(57)【特許請求の範囲】
【請求項１】
第１方向に延びる布製の第１部分と、
前記第１部分の前記第１方向の一方側に位置しており、前記第１部分に対して傾斜する第２方向に延びる布製の第２部分と、
前記第１部分の前記第１方向の他方側に位置しており、前記第１部分に対して傾斜する第３方向に延びる布製の第３部分と、
前記第１部分と前記第２部分、及び前記第１部分と前記第３部分を連結する布製の連結部分と、を備え、
前記第１部分、前記第２部分、前記第３部分、及び前記連結部分は、全体としてＵ字状に形成されており、
前記連結部分の外側の長さは、前記連結部分の内側の長さよりも長くなっており、
前記連結部分の伸び率は、前記第１部分の伸び率、前記第２部分の伸び率、及び前記第３部分の伸び率よりも高く、
前記連結部分は、縦横の２方向に伸びる伸縮性の２ｗａｙユニットによって構成されている、
枕。
【請求項２】
前記連結部分の伸び率は、２０％以上である、
請求項１に記載の枕。
【発明の詳細な説明】
【技術分野】
【０００１】
本発明は、使用者の身体が乗せられる枕に関する。
【背景技術】
【０００２】
特開２０１２−７５８１６号公報には、使用者の頭部が乗せられる中央部と、中央部の両側に位置する折り曲げ辺部とを備えたＵ字状の枕が記載されている。このＵ字状の枕では、使用者の頭部及び首が中央部に乗せられると共に、使用者の肩及び腕が折り曲げ辺部に乗せられる。これにより、使用者の身体と枕との間に隙間ができにくくなり、首又は肩等への負担が低減されることが前述の公報に記載されている。
【先行技術文献】
【特許文献】
【０００３】
【特許文献１】特開２０１２−７５８１６号公報
【発明の概要】
【発明が解決しようとする課題】
【０００４】
前述したＵ字状の枕は、使用者の頭部、首、肩及び腕が乗せられるため、身体を枕に乗せた直後には心地よい感触を使用者に与えることが可能である。しかしながら、このＵ字状の枕では、時間の経過と共に使用者の肩が圧迫され、使用者が肩に圧迫感を感じることになるため、寝心地が良い状態を長時間継続させることができないという問題がある。
【０００５】
本発明は、寝心地が良い状態を長時間継続させることができる枕を提供することを目的とする。
【課題を解決するための手段】
【０００６】
本発明の一側面に係る枕は、第１方向に延びる布製の第１部分と、第１部分の第１方向の一方側に位置しており、第１部分に対して傾斜する第２方向に延びる布製の第２部分と、第１部分の第１方向の他方側に位置しており、第１部分に対して傾斜する第３方向に延びる布製の第３部分と、第１部分と第２部分、及び第１部分と第３部分を連結する布製の連結部分と、を備え、第１部分、第２部分、第３部分、及び連結部分は、全体としてＵ字状に形成されており、連結部分の外側の長さは、連結部分の内側の長さよりも長くなっており、連結部分の伸び率は、第１部分の伸び率、第２部分の伸び率、及び第３部分の伸び率よりも高く、連結部分は、縦横の２方向に伸びる伸縮性の２ｗａｙユニットによって構成されている。
【０００７】
この枕では、第１部分、第２部分及び第３部分は、連結部分で連結されることによってＵ字状に形成され、連結部分の外側の長さは、連結部分の内側の長さよりも長い。そして、連結部分の伸び率は、第１部分の伸び率、第２部分の伸び率、及び第３部分の伸び率のいずれよりも高くなっている。ここで「伸び率」とは、ＪＩＳ  Ｌ  １０９６の「織物及び編物の生地試験方法」によって測定された伸び率を示している。このように第１部分と第２部分、及び第１部分と第３部分を連結する連結部分の伸び率が高くなっているので、第１部分に対する第２部分の傾斜角度、及び第１部分に対する第３部分の傾斜角度を敷布団上で簡単に変えることができる。すなわち、腕等で第２部分及び第３部分を動かすことによって上記の傾斜角度を敷布団上で簡単に変えられる。従って、第１部分に対する第２部分の傾斜角度、及び第１部分に対する第３部分の傾斜角度を大きくして、頭部、首、肩及び腕を枕に乗せて心地よい感触を使用者に与えることができると共に、肩への圧迫を感じたとき等には上記各傾斜角度を小さくして、腕を枕から降ろすことにより肩への圧迫感を無くすこともできる。従って、肩への圧迫が続く状態を簡単に解消することができるので、寝心地が良い状態を長時間継続させることができる。
【０００８】
また、連結部分の伸び率は、２０％以上であってもよい。このように連結部分の伸び率を２０％以上とした場合、腕等で第２部分及び第３部分を動かすだけで、第２部分の傾斜角度及び第３部分の傾斜角度を一層簡単に変更できる。
【発明の効果】
【０００９】
本発明によれば、寝心地が良い状態を長時間継続させることができる。
【図面の簡単な説明】
【００１０】
【図１】実施形態に係る枕の外観を示す斜視図である。
【図２】図１の枕を示す平面図である。
【図３】（ａ）は左側の連結部分を拡大させた図であり、（ｂ）は右側の連結部分を拡大させた図である。
【図４】図１の枕を変形させた状態を示す斜視図である。
【図５】連結部分とファスナーの位置関係を示す斜視図である。
【図６】図１の枕に収容される３個の袋体を示す斜視図である。
【図７】（ａ）は中央に位置する第１袋体を示す斜視図であり、（ｂ）は左側に位置する第２袋体を示す斜視図である。
【図８】図１の枕の使用状態を示す図であり、（ａ）は普通の枕として使用している状態、（ｂ）は使用者の両腕を乗せられるように変形した枕の状態、（ｃ）は抱き枕として使用している状態、をそれぞれ示す。
【発明を実施するための形態】
【００１１】
以下、図面を参照しながら本発明に係る枕の実施形態について説明する。以下の説明において、同一又は相当する要素には同一の符号を付し、重複する説明を省略する。
【００１２】
図１に示されるように、本実施形態に係る枕１は、全体としてＵ字状を呈する。枕１は、使用者Ｍ（図８参照）の頭部及び首が乗せられる布製の第１部分２と、第１部分２の一方側から傾斜して延びる布製の第２部分３Ａと、第１部分２の他方側から傾斜して延びる布製の第３部分３Ｂとを備える。また、枕１は、連結部分４とファスナー５とを備えている。連結部分４は、２つ設けられており、一の連結部分４は第１部分２と第２部分３Ａとを連結し、他の連結部分４は第１部分２と第３部分３Ｂとを連結している。ファスナー５は、Ｕ字状の枕１の内周側で第２部分３Ａ、第１部分２、及び第３部分３Ｂに亘って延びている。
【００１３】
第１部分２は枕１の中央部分に位置しており、第２部分３Ａ及び第３部分３Ｂは、第１部分２の一方側及び他方側からそれぞれ延びる腕部分に相当する。第２部分３Ａ及び第３部分３Ｂは、例えば、横寝した使用者Ｍが２本の腕で抱え込む抱き枕として使用される。第２部分３Ａ及び第３部分３Ｂの形状は、第１部分２に対して互いに対称となっている。また、枕１は、枕１の表面を構成する布製のカバー１０を備えており、第１部分２、第２部分３Ａ、第３部分３Ｂ、及び一対の連結部分４によってカバー１０が構成されている。
【００１４】
図２に示されるように、第１部分２は、第１方向Ｄ１に延びる長方形状となっている。第１部分２は、例えば、コンフォートストレッチで構成されており、第１部分２の伸び率は１０％以上且つ２０％未満である。また、第１部分２は、横方向に延びる１ｗａｙ生地で構成されている。しかしながら、第１部分２の生地は、１ｗａｙ生地に限定されず適宜変更可能である。
【００１５】
図２、図３（ａ）及び図３（ｂ）に示されるように、一方側（図２における左側）に位置する連結部分４は、第１部分２との境界線４ａと、境界線４ａの外周側の端部４ｂから第２部分３Ａに向かって延びる外側４ｃと、境界線４ａの内周側の端部４ｄから第２部分３Ａに向かって延びる内側４ｅと、第２部分３Ａとの境界線４ｆとを有する。連結部分４の外側４ｃの長さＬ２は、連結部分４の内側４ｅの長さＬ１よりも長くなっている。
【００１６】
例えば、境界線４ａ，４ｆは直線状となっており、外側４ｃ及び内側４ｅは円弧状となっている。しかしながら、境界線４ａ，４ｆ、外側４ｃ及び内側４ｅの形状は上記に限定されず適宜変更可能である。また、他方側（図２における右側）に位置する連結部分４において、外側４ｃの長さＬ４は、内側４ｅの長さＬ３よりも長くなっている。また、本実施形態では、他方側に位置する連結部分４は、一方側に位置する連結部分４と対称な形状となっている。そして、他方側に位置する連結部分４の大きさは、一方側に位置する連結部分４の大きさと同一となっているため、他方側に位置する連結部分４についての詳細な説明を省略する。
【００１７】
連結部分４は、例えば、パワーストレッチで構成されており、この場合、連結部分４の伸び率は４０％以上である。また、連結部分４は、ポリエチレンの糸が縦横に編み上げられて形成されたニットの伸縮素材であり、縦横の２方向に伸びる伸縮性の２ｗａｙニットによって構成されている。連結部分４をこのような素材にすることによって、連結部分４の縦横への伸縮による枕１の変形が実現される。
【００１８】
但し、連結部分４の伸び率は４０％以上でなくてもよく、例えば２０％以上且つ４０％未満であってもよい。このように連結部分４の伸び率を２０％以上且つ４０％未満とした場合であっても、連結部分４の縦横への伸縮による枕１の変形が実現される。以上のように、連結部分４の伸び率は、２０％以上であることが好ましく、更に４０％以上であることが一層好ましい。しかしながら、連結部分４の材料及び伸び率は上記に限定されず適宜変更可能である。要は、連結部分４は、第１部分２、第２部分３Ａ及び第３部分３Ｂより伸びる素材であればよい。なお、連結部分４の伸び率の上限は、特に限定されないが、例えば２００％以下である。
【００１９】
第２部分３Ａは、例えば、コンフォートストレッチで構成されており、第２部分３Ａの伸び率は１０％以上且つ２０％未満である。また、第２部分３Ａは、１ｗａｙ生地で構成されている。しかしながら、第２部分３Ａの生地は、１ｗａｙ生地に限定されず適宜変更可能である。第２部分３Ａは、第１部分２の一方側に位置しており、第１部分２に対して傾斜する第２方向Ｄ２に延びている。ここで、第２方向Ｄ２は、第２部分３Ａと連結部分４との境界線４ｆにおける垂直二等分線が延びる方向を示している。この垂直二等分線は、境界線４ｆの中点Ｃから境界線４ｆの直交方向に延びている。第２部分３Ａは、この境界線４ｆから第２方向Ｄ２に延びる形状となっている。
【００２０】
第３部分３Ｂは、例えば第２部分３Ａと同様の材料とすることが可能であるが、異なる材料であってもよい。第３部分３Ｂは、第１部分２の他方側に位置しており、第１部分２に対して傾斜する第３方向Ｄ３に延びている。ここで、第３方向Ｄ３は、第３部分３Ｂと連結部分４との境界線４ｆにおける垂直二等分線が延びる方向を示している。この垂直二等分線も、境界線４ｆの中点Ｃから境界線４ｆの直交方向に延びている。第３部分３Ｂは、この境界線４ｆから第３方向Ｄ３に延びる形状となっている。
【００２１】
枕１に外力が加えられていない状態において、第１部分２が延びる第１方向Ｄ１と、第２部分３Ａが延びる第２方向Ｄ２との成す傾斜角度θ１は、例えば３０°程度であり、１０°〜５０°の範囲とすることが可能である。第１方向Ｄ１と第３方向Ｄ３との成す傾斜角度θ２についても同様とすることが可能である。しかしながら、枕１では、連結部分４が第１部分２、第２部分３Ａ、及び第３部分３Ｂよりも伸びるストレッチ素材で構成されているので、傾斜角度θ１及び傾斜角度θ２を手で押すだけで簡単に変更することができる。傾斜角度θ１及び傾斜角度θ２は、それぞれ個別に簡単に変更することができる。
【００２２】
このように傾斜角度θ１及び傾斜角度θ２が簡単に変えられると共に、枕１を敷布団の上で用いた場合には、枕１と敷布団との間で働く摩擦力によって傾斜角度θ１，θ２を変更した状態が確実に維持される。従って、例えば図４に示されるように、枕１の形状を簡単に変えることが可能となっている。
【００２３】
図２、図３（ａ）及び図３（ｂ）に示されるように、第２部分３Ａは、境界線４ｆの外周側の端部４ｇから曲線状に延びる外周部分３ａと、境界線４ｆの内周側の端部４ｈから曲線状に延びる内周部分３ｂとを有する。第２部分３Ａは、第２方向Ｄ２に延びると共に第２方向Ｄ２に対して更に枕１の内側に湾曲している。そして、第２部分３Ａは、連結部分４との境界線４ｆから離れるに従って先細りする形状となっている。また、第３部分３Ｂについても同様の形状となっている。第２部分３Ａ、第３部分３Ｂ及び連結部分４がこのような形状となっていることによって、枕１は、全体としてクロワッサンのような形を成している。このように枕１はクロワッサンのような形状を成しているので、意匠性を高めることができ使用者Ｍ等を楽しませることが可能となっている。
【００２４】
図１及び図５に示されるように、ファスナー５は、第２部分３Ａの内周部分３ｂから第１部分２を通って第３部分３Ｂの内周部分３ｂにまで延在している。ファスナー５は、連結部分４の２つの内側４ｅの間を通って延在している。従って、ファスナー５が通る連結部分４の内側４ｅは、連結部分４の外側４ｃと比較して伸びにくくなっている。よって、連結部分４を、Ｕ字の曲がり方向の反対方向に必要以上に曲がらないようにすることが可能となる。
【００２５】
ファスナー５の端部には、ファスナー５の引手５ａを収容する収容部６が設けられている。この収容部６は、例えばゴムで構成されており、ファスナー５の引手５ａの全てが露出しないように引手５ａを内部に収容する。この収容部６によって、閉じられたファスナー５の引手５ａが意図せず移動することを抑制すると共に、使用者Ｍの顔等に引手５ａが当たらないようにすることができる。
【００２６】
図６に示されるように、枕１のカバー１０の内部には、第１内袋７と、一対の第２内袋８とが収容される。第１内袋７及び第２内袋８は、ファスナー５を開けることによってカバー１０の内部に収容可能となっている。第１内袋７及び第２内袋８の材料は、例えば布製であるが、適宜変更可能である。また、第１内袋７及び一対の第２内袋８は、枕１の第１部分２、第２部分３Ａ及び第３部分３Ｂに対応した形状となっている。
【００２７】
図７（ａ）及び図７（ｂ）に示されるように、第１内袋７は直方体状となっている。また、一方側（左側）の第２内袋８は、直線状部分８ａと、直線状部分８ａの一端から曲線状に延びる湾曲部８ｂと、直線状部分８ａの他端から曲線状に延びる湾曲部８ｃとを有する。この第２内袋８は、２つの湾曲部８ｂ，８ｃが直線状部分８ａから離れるに従って徐々に接近している。これにより、第２内袋８は先細りする形状となっている。なお、他方側（右側）の第２内袋８の形状及び大きさは、一方側の第２内袋８の形状及び大きさと同一であるため、詳細な説明を省略する。
【００２８】
第１内袋７の内部空間は、例えば２分割されている。すなわち、第１内袋７は、首が乗せられる部分７ａと、頭部が乗せられる部分７ｂとを有し、２つの部分７ａ，７ｂは、第１内袋７の長辺７ｄから第１内袋７の内側にＵ字状に湾曲するマチ部７ｃによって仕切られている。２つの部分７ａ，７ｂのそれぞれには、ファスナー９ａ，９ｂが設けられている。
【００２９】
例えば、首が乗せられる部分７ａのファスナー９ａは当該部分７ａの中央で長辺７ｄ方向に延びており、頭部が乗せられる部分７ｂのファスナー９ｂは、第１内袋７の長辺７ｄ方向の一端で長辺７ｄに直交する方向に延びている。なお、このファスナー９ａ，９ｂの位置、長さ及び個数は、上記に限定されず適宜変更可能である。また、頭部が乗せられる部分７ｂは、頭頂部が乗せられる部分７ｅと、後頭部が乗せられる部分７ｆとを含んでおり、２つの部分７ｅ，７ｆの間には長辺７ｄ方向に延びるマチ部７ｇが介在している。
【００３０】
第２内袋８は、直線状部分８ａに沿って形成されたファスナー９ｃを備えている。このように、第１内袋７及び第２内袋８のそれぞれの内部には、ファスナー９ａ，９ｂ，９ｃの開閉によって中詰材が詰め込まれる。枕１では、第１内袋７及び第２内袋８の内部に詰め込まれる中詰材の量を調整することによって、第１内袋７の首が乗せられる部分７ａ、頭頂部が乗せられる部分７ｅ及び後頭部が乗せられる部分７ｆ、並びに一対の第２内袋８の高さを調整することが可能となっている。
【００３１】
第１内袋７の首が乗せられる部分７ａには中詰材としてポリエステル製の綿が詰め込まれ、頭部が乗せられる部分７ｂには中詰材としてパイプ材が詰め込まれる。このパイプ材としては、例えばポリエチレン製の中空パイプが挙げられる。また、使用者Ｍの腕が乗せられる第２内袋８には、中詰材としてポリエステル製の綿が詰め込まれる。このように第１内袋７の頭部が乗せられる部分７ｂにパイプ材が詰め込まれ、第１内袋７の首が乗せられる部分７ａ及び第２内袋８に綿が詰め込まれることにより、使用者Ｍの寝心地を向上させることが可能となっている。
【００３２】
具体的には、首が乗せられる部分７ａの内部が弾力性の高いポリエステル綿とされ、頭部が乗せられる部分７ｂの内部がパイプ材とされることによって、使用者Ｍの寝返りをスムーズにすることが可能となっている。また、腕が乗せられる第２内袋８の内部がポリエステル綿とされることにより、使用者Ｍが第２部分３Ａ又は第３部分３Ｂを抱き枕として使用したときに使用者Ｍの腕に心地よいフィット感を与えることが可能となっている。なお、第１内袋７及び第２内袋８に詰め込む中詰材は、綿又はパイプ材でなくてもよい。すなわち、この中詰材は、例えばウレタンチップ等であってもよく、適宜変更可能である。
【００３３】
以上のように構成される枕１の使用方法の例について図８（ａ）、図８（ｂ）及び図８（ｃ）を参照して説明する。まず、図８（ａ）に示されるように、枕１は、第１部分２に使用者Ｍの頭部及び首が乗せられることによって、普通の枕として使用される。また、図８（ｂ）に示されるように、枕１の傾斜角度θ１，θ２を大きくして一対の第２部分３Ａ及び第３部分３Ｂが内側に曲げられることにより、枕１は使用者Ｍの腕及び肩を包み込む形態として使用される。この形態の枕１では、使用者Ｍの首及び肩がしっかり支えられた状態となるので、使用者Ｍは枕１に包み込まれるような贅沢な寝心地が得られる。
【００３４】
更に、図８（ｃ）に示されるように、横寝した使用者Ｍが枕１の腕部分である第２部分３Ａ又は第３部分３Ｂを抱え込める形態として枕１は使用される。この形態では、第２部分３Ａ又は第３部分３Ｂが使用者Ｍに抱え込まれることにより使用者Ｍの寝姿勢が安定する。
【００３５】
以上のように、本実施形態の枕１では、第１部分２、第２部分３Ａ及び第３部分３Ｂは、連結部分４で連結されることによってＵ字状に形成され、連結部分４の外側４ｃの長さＬ２，Ｌ４は連結部分４の内側４ｅの長さＬ１，Ｌ３よりも長く、連結部分４の伸び率は、第１部分２の伸び率、第２部分３Ａの伸び率、及び第３部分３Ｂの伸び率のいずれよりも高くなっている。このように第１部分２と第２部分３Ａ、及び第１部分２と第３部分３Ｂを連結する連結部分４の伸び率が高くなっているので、第１部分２に対する第２部分３Ａの傾斜角度θ１、及び第１部分２に対する第３部分３Ｂの傾斜角度θ２を敷布団上で簡単に変えることができる。
【００３６】
すなわち、腕等で第２部分３Ａ及び第３部分３Ｂを動かすことによって傾斜角度θ１，θ２を敷布団上で簡単に変えられる。更に、カバー１０の内部では、第１部分２の内部に位置する第１内袋７と、第２部分３Ａの内部に位置する一方側の第２内袋８と、第３部分３Ｂの内部に位置する他方側の第２内袋８とが別体となっているので、枕１が一層変形しやすくなっている。
【００３７】
従って、図８（ｂ）に示されるように、第１部分２に対する第２部分３Ａの傾斜角度θ１、及び第１部分２に対する第３部分３Ｂの傾斜角度θ２を大きくして、頭部、首、肩及び腕を枕１に乗せて心地よい感触を使用者Ｍに与えることができると共に、図８（ａ）に示されるように、肩への圧迫を感じたとき等には傾斜角度θ１，θ２を小さくして、腕を枕１から降ろすことにより肩への圧迫感を無くすこともできる。従って、肩への圧迫が続く状態を簡単に解消することができるので、寝心地が良い状態を長時間継続させることができる。
【００３８】
また、枕１は、第１部分２に対する第２部分３Ａの傾斜角度θ１、及び第１部分２に対する第３部分３Ｂの傾斜角度θ２を小さくすることによって直線状に延びる普通の枕として使用することができる。そして、傾斜角度θ１，θ２を大きくすることによって、図８（ｃ）に示されるように、２本の腕で抱え込めるＵ字状の抱き枕として使用することもできる。
【００３９】
ここで、従来の２本の腕で抱え込める抱き枕としては、縦に棒状に延びる抱き枕がある。この抱き枕を２本の腕で抱え込んで使用する場合、寝返りを打つと身体が抱き枕から離れてしまう。また、抱き枕を抱えた状態で寝返りを打つのは、掛け布団の下で抱き枕を持ち上げて身体を動かさなければならないため非常に困難である。
【００４０】
これに対し、本実施形態の枕１は、Ｕ字状に形成されているので、使用者Ｍが第２部分３Ａ及び第３部分３Ｂのいずれか一方を抱えた状態で寝返りを打つときには、身体だけ持ち上げて反対側を向けば、第２部分３Ａ及び第３部分３Ｂの他方が存在している。このように寝返りを打って使用者Ｍが反対側を向いても第２部分３Ａ又は第３部分３Ｂが存在するので、抱き枕を抱えた状態で寝返りを打つ必要がない。従って、枕１は、抱き枕としての使用性も向上されている。
【００４１】
更に、図８（ａ）に示されるように、枕１は、Ｕ字状に形成されているので、使用者Ｍの肩を掛け布団Ｆと枕１との間に挟み込むことができる。従って、使用者Ｍの身体が位置する掛け布団Ｆの内側に風を進入しにくくさせることができるので、特に冬の寒い時期に身体を冷やさないように保温することができ、この枕１を寒さ対策として使用することもできる。
【００４２】
また、連結部分４の伸び率が２０％以上である場合、腕等で第２部分３Ａ及び第３部分３Ｂを動かすだけで傾斜角度θ１，θ２を一層簡単に変更できる。従って、使用者Ｍのそれぞれの状況に適合した枕１の形状とすることができるので、一層心地よい寝心地を提供することができる。
【００４３】
以上、本発明の実施形態について説明したが、本発明は、前述した実施形態に限られるものではなく、各請求項に記載した要旨を変更しない範囲で変形してもよい。すなわち、本発明は、特許請求の範囲に記載した要旨を変更しない範囲で種々の変形が可能である。
【００４４】
例えば、前述の実施形態では、枕１が第１内袋７及び第２内袋８を収容するための１本のファスナー５を備えていたが、この第１内袋７及び第２内袋８を収容するファスナーの個数及び位置は適宜変更可能である。具体的には、第２部分３Ａ、第１部分２及び第３部分３Ｂにまで延びるファスナー５に代えて、第２部分３Ａ、第１部分２及び第３部分３Ｂのそれぞれに３本のファスナーを備えていてもよい。この場合、第２部分３Ａ、第１部分２及び第３部分３Ｂのそれぞれにファスナーが形成されているので、ファスナーの全長（３本のファスナーの合計長さ）を短くすることができる。但し、前述のように１本のファスナー５を備えている場合、ファスナー５の数が少ないので加工コストの増大を抑制できるという効果が得られる。更に、ファスナー５の引手５ａを収容する収容部６は省略することも可能である。
【００４５】
また、カバー１０の内部に収容される内袋の形状、個数及び大きさは、第１内袋７及び第２内袋８に限定されず、適宜変更可能である。
【００４６】
また、前述の実施形態では、一方側に位置する連結部分４は、他方側に位置する連結部分４と対称な形状となっている例について説明したが、一方側に位置する連結部分４と他方側に位置する連結部分４とが互いに異なる形状、又は互いに異なる大きさとなっていてもよい。
【００４７】
また、前述の実施形態では、第２部分３Ａ及び第３部分３Ｂの形状が、第１部分２に対して互いに対称となっている例について説明した。しかしながら、第２部分３Ａ及び第３部分３Ｂの形状は、第１部分２に対して対称となっていなくてもよい。また、前述の実施形態では、第１部分２の形状が長方形状であり、第２部分３Ａ及び第３部分３Ｂは、枕１の内側に湾曲すると共に、連結部分４との境界線４ｆから離れるに従って先細りする形状となっていたが、第１部分２、第２部分３Ａ及び第３部分３Ｂの形状は前述の実施形態に限定されない。例えば、先細りする第２部分３Ａ及び第３部分３Ｂに代えて、長方形状に延びる第２部分及び第３部分とすることも可能である。また、第２部分と第３部分とを互いに異なる形状とすることも可能である。
【符号の説明】
【００４８】
１…枕、２…第１部分、３Ａ…第２部分、３Ｂ…第３部分、３ａ…外周部分、３ｂ…内周部分、４…連結部分、４ａ…境界線、４ｂ…端部、４ｃ…外側、４ｄ…端部、４ｅ…内側、４ｆ…境界線、４ｇ，４ｈ…端部、５…ファスナー、５ａ…引手、６…収容部、７…第１内袋、７ａ，７ｂ，７ｅ，７ｆ…部分、７ｃ，７ｇ…マチ部、７ｄ…長辺、８…第２内袋、８ａ…直線状部分、８ｂ，８ｃ…湾曲部、９ａ，９ｂ，９ｃ…ファスナー、１０…カバー、Ｃ…中点、Ｄ１…第１方向、Ｄ２…第２方向、Ｄ３…第３方向、Ｆ…掛け布団、Ｍ…使用者、θ１，θ２…傾斜角度。
【図１】
0006659294.tif 000002
【図２】
0006659294.tif 000003
【図３】
0006659294.tif 000004
【図４】
0006659294.tif 000005
【図５】
0006659294.tif 000006
【図６】
0006659294.tif 000007
【図７】
0006659294.tif 000008
【図８】
0006659294.tif 000009